【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
少なくとも１つの面に密閉気孔の外側表皮を含む発泡ガラスタイルであって、３０ポンド／立方フィート〜１００ポンド／立方フィート（４８０．５５３９ｋｇ／ｍ3〜１６０１．８４６３ｋｇ／ｍ3）の密度、少なくとも２インチ（０．０５０８ｍ）の厚さ及び３０ポンド（１３．６０７８ｋｇ）よりも重い重量を有する発泡ガラスタイル。
【請求項２】
少なくとも１つの面に密閉気孔の外側表皮を含む発泡ガラスタイルであって、３０ポンド／立方フィート〜１００ポンド／立方フィート（４８０．５５３９ｋｇ／ｍ3〜１６０１．８４６３ｋｇ／ｍ3）の密度及び３０ポンド（１３．６０７８ｋｇ）よりも重い重量を有し、タイル表面積が少なくとも２フィート×２フィート（０．６０９６ｍ×０．６０９６ｍ）である発泡ガラスタイル。
【請求項３】
タイル表面積が、少なくとも２フィート×２フィート（０．６０９６ｍ×０．６０９６ｍ）である請求項１に記載の発泡ガラスタイル。
【請求項４】
タイル表面積が、少なくとも４フィート×４フィート（１．２１９２ｍ×１．２１９２ｍ）である請求項１又は２に記載の発泡ガラスタイル。
【請求項５】
前記タイルが、４０ポンド／立方フィート（６４０．７３８５ｋｇ／ｍ3）より大きい密度を有する請求項１又は２に記載の発泡ガラスタイル。
【請求項６】
前記タイルが、５０ポンド／立方フィート（８００．９２３２ｋｇ／ｍ3）より大きい密度を有する請求項１又は２に記載の発泡ガラスタイル。
【請求項７】
前記タイルが、少なくとも３インチ（０．０７６２ｍ）の厚さを有する請求項１又は２に記載の発泡ガラスタイル。
【請求項８】
前記タイルが、少なくとも４インチ（０．１０１６ｍ）の厚さを有する請求項１又は２に記載の発泡ガラスタイル。
【請求項９】
前記タイルが、少なくとも６５ポンド（２９．４８３５ｋｇ）の重量を有する請求項１又は２に記載の発泡ガラスタイル。
【請求項１０】
前記タイルが、少なくとも１００ポンド（４５．３５９２ｋｇ）の重量を有する請求項１又は２に記載の発泡ガラスタイル。
【請求項１１】
前記タイルが、これと同様の構造を有する少なくとも１つの他のタイルと共に組み立てられてパネルを形成し、前記パネルが、軽量の建築ファサードとして使用される請求項１又は２に記載の発泡ガラスタイル。
【請求項１２】
前記建築ファサードが、建物の少なくとも一部に組付けられ、前記建物の前記一部が、震害に対して実質的に耐性である請求項１１に記載の発泡ガラスタイル。
【請求項１３】
前記タイルが、密閉気孔構造を有する請求項１又は２に記載の発泡ガラスタイル。
【請求項１４】
前記外側表皮は、前記発泡ガラスタイルがグレーズ加工された外側表面である請求項１３に記載の発泡ガラスタイル。
【請求項１５】
前記タイルが、内側部分を更に含み、前記外側表皮が、その表面を前記タイルの前記内側部分とは異なる色に見えるようにするための添加剤を含む請求項１３に記載の発泡ガラスタイル。
【請求項１６】
（ａ）２０ポンド／立方フィート〜１００ポンド／立方フィート（３２０．３６９３ｋｇ／ｍ3〜１６０１．８４６３ｋｇ／ｍ3）の密度を有する発泡ガラスタイル；及び
（ｂ）剛構造体
を含む複合建築材料であって、前記タイルが、前記剛構造体により裏打ちされ、爆破エネルギーを有する爆破衝撃波を受けた場合に、前記タイルが、前記タイルが曝される前記爆破エネルギーのかなりの部分を吸収することができる複合建築材料。
【請求項１７】
前記剛構造体が、建築柱である請求項１６に記載の複合建築材料。
【請求項１８】
前記剛構造体が、ガレージ内又はガレージに隣接して配置される請求項１６に記載の複合建築材料。
【請求項１９】
前記剛構造体が、１つ以上のセメント質材料からなる請求項１６に記載の複合建築材料。
【請求項２０】
前記セメント質材料が、ポルトランドセメントを含む請求項１９に記載の複合建築材料。
【請求項２１】
前記セメント質材料が、石灰を含む請求項１９に記載の複合建築材料。
【請求項２２】
前記セメント質材料が、アルミナセメントを含む請求項１９に記載の複合建築材料。
【請求項２３】
前記セメント質材料が、石膏を含む請求項１９に記載の複合建築材料。
【請求項２４】
前記剛構造体が、高分子材料を含む請求項１６に記載の複合建築材料。
【請求項２５】
前記高分子材料が、繊維材料及び／又はケブラーからなる請求項２４に記載の複合建築材料。
【請求項２６】
（ａ）発泡ガラスタイル；及び
（ｂ）前記発泡ガラスタイル上の無機セメント質の裏打ち
を含むセラミック−ガラス発泡複合体であって、起こり得る爆発から曝され得る前記複合体が、爆破エネルギーのかなりの部分を吸収することができるセラミック−ガラス発泡複合体。
【請求項２７】
前記発泡ガラスタイルが、前記起こり得る爆発の方向に曝される請求項２６に記載のセラミック−ガラス発泡複合体。
【請求項２８】
前記セメント質の裏打ちが、前記発泡ガラスタイルとポゾラン結合を形成する請求項２６に記載のセラミック−ガラス発泡複合体。
【請求項２９】
前記セメント質の裏打ちが、強化セメントである請求項２６に記載のセラミック−ガラス発泡複合体。
【請求項３０】
前記複合体が、建築柱に取り付けられる請求項２６に記載のセラミック−ガラス発泡複合体。
【請求項３１】
前記複合体が、ガレージ内又はガレージに隣接して配置された壁に取り付けられる請求項２６に記載のセラミック−ガラス発泡複合体。
【請求項３２】
（ａ）表面仕上げ層；
（ｂ）少なくとも１つの剛性発泡ガラス層；及び
（ｃ）少なくとも１つの裏打ち層
を含む発泡ガラス複合パネル。
【請求項３３】
前記表面仕上げ層が、繊維材料を含有する請求項３２に記載の発泡ガラス複合パネル。
【請求項３４】
吊り金具が、前記少なくとも１つの裏打ち層内に設置される請求項３２又は３３に記載の発泡ガラス複合パネル。
【請求項３５】
前記少なくとも１つの裏打ち層が、衝撃波の場合に、前記少なくとも１つの剛性発泡ガラス層の破片を含有することができる請求項３２〜３４のいずれか一項に記載の発泡ガラス複合パネル。
【請求項３６】
前記剛性発泡ガラスが、密閉気孔構造を有する請求項３２〜３５のいずれか一項に記載の発泡ガラス複合パネル。
【請求項３７】
前記表面仕上げ層は、前記少なくとも１つの剛性発泡ガラス層がグレーズ加工された発泡ガラス外側表面である請求項３２〜３５のいずれか一項に記載の発泡ガラス複合パネル。
【請求項３８】
前記表面仕上げ層が、その表面を前記少なくとも１つの剛性発泡ガラス層とは異なる色に見えるようにするための添加剤を含む請求項３２〜３５のいずれか一項に記載の発泡ガラス複合パネル。
【請求項３９】
前記繊維が、グラファイト及び／又はケブラーから製造される請求項３３に記載の発泡ガラス複合パネル。
【請求項４０】
前記少なくとも１つの裏打ち層が、繊維材料を含有する請求項３２〜３５のいずれか一項に記載の発泡ガラス複合パネル。
【請求項４１】
前記繊維が、グラファイト及び／又はケブラーから製造される請求項４０に記載の発泡ガラス複合パネル。
【請求項４２】
前記表面仕上げ層が、高分子材料を含む請求項３２〜３５のいずれか一項に記載の発泡ガラス複合パネル。
【請求項４３】
前記少なくとも１つの裏打ち層が、高分子材料を含む請求項３２〜３５のいずれか一項に記載の発泡ガラス複合パネル。
【請求項４４】
前記少なくとも１つの裏打ち層が、１つ以上のセメント質材料を含む請求項３２〜３５のいずれか一項に記載の発泡ガラス複合パネル。
【請求項４５】
前記セメント質材料が、前記少なくとも１つの剛性発泡ガラス層の表面とポゾラン結合を形成する請求項４４に記載の発泡ガラス複合パネル。
【請求項４６】
前記セメント質材料が、ポルトランドセメントを含む請求項４４に記載の発泡ガラス複合パネル。
【請求項４７】
前記セメント質材料が、強化ポルトランドセメントを含む請求項４４に記載の発泡ガラス複合パネル。
【請求項４８】
前記セメント質材料が、石灰を含む請求項４４に記載の発泡ガラス複合パネル。
【請求項４９】
前記セメント質材料が、アルミナセメントを含む請求項４４に記載の発泡ガラス複合パネル。
【請求項５０】
前記セメント質材料が、石膏を含む請求項４４に記載の発泡ガラス複合パネル。
【請求項５１】
前記少なくとも１つの剛性発泡ガラス層と前記少なくとも１つの裏打ち層との間に、結合促進剤又は接着剤の層が適用される請求項４４に記載の発泡ガラス複合パネル。
【請求項５２】
前記少なくとも１つの裏打ち層が、金属を含む請求項３２〜３５のいずれか一項に記載の発泡ガラス複合パネル。
【請求項５３】
前記パネルが、耐力フレーム上に取り付けられる請求項３２〜３５のいずれか一項に記載の発泡ガラス複合パネル。
【請求項５４】
前記パネルが、かなりの量の衝撃波及び振動エネルギーを吸収することができる請求項５３に記載の発泡ガラス複合パネル。
【請求項５５】
前記表面仕上げ層が、衝撃波の場合に、前記少なくとも１つの剛性発泡ガラス層の破片を含有することができる請求項３２〜３５のいずれか一項に記載の発泡ガラス複合パネル。
【請求項５６】
前記パネルが、建物の少なくとも一部に組付けられ、前記建物の前記一部が、震害に対して実質的に耐性である請求項３２〜３５のいずれか一項に記載の発泡ガラス複合パネル。